(57)【特許請求の範囲】
【請求項１】
上部に洗面ボウルを有する洗面化粧台本体と、
前記洗面化粧台本体の前面より後方かつ上方に配置されたキャビネットと、
前記洗面化粧台本体と前記キャビネットとの間に介装される棚水栓ユニットと、を備えた洗面化粧台ユニットであって、
前記棚水栓ユニットは、 
吐水部と、前記吐水部の吐水を操作する操作手段と、前記操作手段に連動して前記吐水部から水を吐水させる機能部である水栓機能部と、
前記洗面化粧台本体後方上部と前記キャビネット後方下部とを繋ぐように配設された壁部と、 
前記壁部の途中に、前記壁部より前方へ突出し、前記洗面ボウルの前縁より奥側に前面を有した箱状の突出部と、を備え、
前記突出部上面に形成された開口部内に、前記水栓機能部を収納させるとともに、
前記突出部の開口部を覆う着脱可能なカバー体を備え、
前記カバー体は、前記突出部の前面と上面、および突出部より上方且つ前記壁部の上端部より下方までを一体に連なって覆ってなり、
前記キャビネットを取り外すことなく、前記カバー体を着脱できることを特徴とする洗面化粧台ユニット。
【発明の詳細な説明】
【技術分野】
【０００１】
本発明は、洗面化粧台ユニットに係り、特に水栓ユニットのメンテナンスを行う開口部を覆う着脱可能なカバー体を備えた洗面化粧台ユニットに関する。
【背景技術】
【０００２】
従来から、例えば、特許文献１に記載されている洗面化粧台のカウンターユニットでは、底部にカウンターユニットの壁への取付けに用いられる開口部付きの底板と、アングル状の一対の取付け金具が設けられ、取付け金具の壁当接部に複数のネジを用いて壁固定し、さらに取付け金具の水平部分に底板をネジ締結し、カウンターユニットを壁にとりつけることができるようになったものがある。このような従来の洗面化粧台は、カウンターユニットや水栓のメンテナンスや部品交換に際して、取付金具の水平部分のネジをはずすだけで、カウンターユニットを洗面化粧台本体から取り外すことができる。
【０００３】
また、特許文献２に記載されている洗面化粧台では、水栓の取付けが簡単で施工性を向上させる対策として、洗面ボウルの後方上部に設置されるキャビネットに、キャビネットの前面側と洗面ボウルの下方側とを連結する配管挿通用開口を形成してなり、水栓と該水栓に上水を供給する接続用配管を予め組み付けたアセンブリ一体をキャビネットに取付けられるようにしたものも知られている。さらに、アセンブリ一体の前面は洗面ボウルの後部にほぼ垂直に立設する立壁面となるので、水栓を濡れた手で触ったり、水作業時の水跳ねが水栓にかかっても、水栓に付着した水はアセンブリ一体の前面を伝ってすぐに下に流れるため水栓の取付け部周りに水が溜まらないようになっている。
【特許文献１】特開２００６−６８１４号公報
【特許文献２】特開平１０−３０９２４０号公報
【発明の開示】
【発明が解決しようとする課題】
【０００４】
しかしながら、上述した特許文献１に記載されている従来の洗面化粧台では、水栓ユニットと洗面ボウル、カウンターが一体となっているため、水栓ユニットのメンテナンスや部品交換などに際して、その都度関係のない部位まで取り外さなければならず、非常に作業が困難になるという問題がある。
【０００５】
さらに、上述した特許文献２に記載されている従来の洗面化粧台では、水栓と接続用配管を予め組み付けたアセンブリ一体のみを簡単に着脱でき、水栓のメンテナンスが容易に行えるという利点がある。しかしながら、アセンブリ一体はミラーキャビネットの前面側に取付けるため、アセンブリ一体の外周部と本体との間に継ぎ目が生じ、特に水栓位置より下方の継ぎ目に対して、水作業時による水栓周辺の水がその継ぎ目に浸入し、その継ぎ目にカビが繁殖し、お掃除に手間がかかるという問題がある。また、水の浸入を放置しておくと、水は洗面化粧台内部に伝い、やがては悪臭、漏水へ発展するという問題がある。
【０００６】
そこで、本発明は、上述した従来技術の問題を解決するためになされたものであり、水栓ユニットのメンテナンスを容易に行うことができ、またメンテナンスを行う開口部への水の浸入を抑制することができる洗面化粧台を提供することを目的としている。
【課題を解決するための手段】
【０００９】
さらに、上記の目的を解決するために本発明は、上部に洗面ボウルを有する洗面化粧台本体と、前記洗面化粧台本体の前面より後方かつ上方に配置されたキャビネットと、前記洗面化粧台本体と前記キャビネットとの間に介装される棚水栓ユニットと、を備えた洗面化粧台ユニットであって、前記棚水栓ユニットは、吐水部と、前記吐水部の吐水を操作する操作手段と、前記操作手段に連動して前記吐水部から水を吐水させる機能部である水栓機能部と、前記洗面化粧台本体後方上部と前記キャビネット後方下部とを繋ぐように配設された壁部と、前記壁部の途中に、前記壁部より前方へ突出し、前記洗面ボウルの前縁より奥側に前面を有した箱状の突出部と、を備え、前記突出部上面に形成された開口部内に、前記水栓機能部を収納させるとともに、前記突出部の開口部を覆う着脱可能なカバー体を備え、前記カバー体は、前記突出部の前面と上面、および突出部より上方且つ前記壁部の上端部より下方までを一体に連なって覆ってなり、前記キャビネットを取り外すことなく、前記カバー体を着脱できることを特徴とする洗面化粧台ユニットとする。
【００１０】
このように構成された本発明の洗面化粧台ユニットにおいては、水栓機能部のメンテナンスをする際に、キャビネット、洗面化粧台本体を扱うことなく、カバー体を外すだけで可能となる。また、突出部上面を覆うカバー体上に水の入ったコップなど濡れ物を置いたり、水栓からの水跳ねによって突出部上面に水がかかっても、開口部より下方にカバー体の下端があるため、突出部上面の水が開口部内に浸入しにくい構造になっている。そのため、開口部内への水の浸入を抑制することができる。更に、カバー体は壁部上端より下方に端部があるので、壁面部上方のキャビネットを取り外さなくてもカバー体を着脱できる。
【発明の効果】
【００１１】
本発明の洗面化粧台ユニットによれば、水栓機能部をメンテナンスする際に、キャビネット、カウンター等を一切扱わず、水栓ユニットのカバー体のみを取り外すだけでよく、非常に簡単な作業で可能となる。また、水栓機能部をメンテナンスする際の開口部に水が浸入しにくい構造となっているため、開口部内への水の浸入を抑制することができる。
【発明を実施するための最良の形態】
【００１２】
以下、添付図面を参照して本発明の洗面化粧台ユニットの実施形態について説明する。
図１は本発明の第１実施形態による洗面化粧台ユニットを示す概略正面斜視図であり、図２は図１のＡ−Ａ断面斜視図である。
【００１３】
図１、図２に示すように、本実施形態の洗面化粧台ユニット１は、床面上に載置され、前面に開閉扉を備えた洗面化粧台本体２と、洗面化粧台本体２の前面より後方かつ上方に配置され、前面に主鏡とその左右に配置された袖鏡からなる三面鏡を有するキャビネット３と、洗面化粧台本体２とキャビネット３との間に介装される棚水栓ユニット１８と、を備えている。洗面化粧台本体２の上部には、洗面ボウル６と、洗面ボウル６と一体化されたカウンター４が取り付けられ、この洗面化粧台本体２のカウンター面４には、吐水部３０から吐水される湯または水を貯水する洗面ボウル６がその上面が開口するように配置されている。ここで、カウンター４面と洗面ボウル６は一体に形成されており、その境界は段差面が無いような形状になっているため、カウンター４面に着水した水を洗面ボウル６内に落とし込みやすくなっている。また、カウンター４は洗面ボウル６の後方において上方側に立ち上がった形状となっている。
【００１４】
棚水栓ユニット１８は、図１および図２に示すように、スパウトからなる吐水部３０と、吐水部３０の吐水量／吐水の温度調整などを操作する操作手段２３と、操作手段２３に連動して吐水部３０から水を吐水させる機能部であって、給水・給湯配管が接続され、湯水を混合して所望の温度に調整したり、吐水部３０から吐水される流量を調整したりするバルブやサーミスタを有した水栓機能部２４を備えている。そして、洗面化粧台本体２のカウンター４の後方上部に立ち上がった上端面とキャビネット３後方下部とを繋ぐように棚水栓ユニット１８が配設されている。つまり、カウンター４の後方上部に立ち上がった上端面に棚水栓ユニット１８が載置され、さらに棚水栓ユニット１８の上端面にキャビネット３が載置されるようになっており、棚水栓ユニット１８と洗面化粧台本体２およびキャビネット３はそれぞれ室内壁面にビス止め固定されている。
【００１５】
また、棚水栓ユニット１８は、洗面ボウル６より奥側、詳しくはカウンター４の上方に立ち上がった立ち上がり部前面と略同一面に前面を有する壁部３２を備え、垂直方向上方に延びた壁部３２の途中に、壁部３２の前面より前方へ突出し洗面ボウル６の前縁より奥側に前面を有した、箱状の突出部３３を備えている。ここで突出部３３と壁部３２は一体に成形され、内部が空洞になっており、更に突出部３３の上面には開口部３１が形成されている。本実施例においては、開口部３１は壁部３２の突出部３３より上方まで繋がっている。
【００１６】
図２に示すように、吐水部３０は、突出部３３より下方の壁部３２に形成された取り付け孔に水平方向に接続されており、突出部３３下面に設けられたガイドレール２９によって、水平方向に維持されるようになっている。また、操作手段２３（吐水ハンドル）は突出部３３下面に設けられた孔に接続されている。ここで、水栓機能部２４は突出部３３の開口部３１内に収容されており、給湯管２０と給水管２２は壁部３２内を介して突出部３３の開口部３１内の水栓機能部２４の入口に接続されている。更に、水栓機能部２４の出口と吐水部３０はシャワーホース部２８で接続されており、使用者は吐水部３０が壁部３２に取り付けられた状態から、シャワーホース部２８を引き出して洗髪や洗面ボウル６などを水洗いすることができる。このように、開口部３１内に水栓機能部２４が収容されていることで、開口部３１が水栓機能部２４の点検口としての役割を果たしている。
【００１７】
図３は本発明の実施形態による洗面化粧台を示す側断面図である。図３に示すように突出部３３の前面から上面、及び突出部３３の上方且つ壁部３２の上端面より下方の位置までは一つの板状のカバー体１９で連なって覆われている。以下、カバー体１９の突出部の前面に面した部分をカバー体前面部３９、カバー体１９の突出部の上面に面した部分をカバー体上面部４０、カバー体１９上面部の後方側に立ち上がり、突出部３３上方の壁部３２の一部を覆う部分をカバー体突出部４１と表現する。
【００１８】
上記のようにカバー体１９によって突出部３３の前面と上面が覆われているので、水栓機能部２４のメンテナンスの際はカバー体１９を外すだけで内部を露出させることができる。すなわち、目線に近い位置でメンテナンス作業ができるので、水栓機能部２４の点検が容易にでき不良ヶ所の発見が早まるとともに部品交換等の作業が短時間化できる。さらに、カバー体１９と突出部３３との間にパッキンを挟んだり、接合部にシール材を施すといった防水処理をあえて行わなくても、カバー体１９の回りから突出部３３の内部へ水が浸入するのを防ぐことができ、使用者が誤って棚水栓ユニット１８の上面に水をかけたり、こぼしたり、また、カバー体上面部４０に濡れ物を載置しても開口部３１内に水が浸入することなく安心して使用することができる。
【００１９】
また、カバー体１９は突出部３３の下面までを巻き込む形状ではないため、カバー体１９の着脱の際にはカバー体１９を前方から引き上げることで容易に取り外しが可能である。加えて、カバー体上面部４０とカバー体突出部４１の境界部分は一体で形成されているため、継ぎ目がないので、水が溜まりやすい角においても開口部３１を塞いでいるため、開口部３１内に水が侵入することがない。
【００２０】
尚、カバー体上面部４０は奥から手前に向かって下り勾配となるように設定する方が棚水栓ユニット１８の上面の水はけをより良好にすることができ、さらに好ましい。すなわち、カバー体上面部４０に物を載置した際に、物が勾配によって倒れない程度に僅かに傾斜していると、物を載置するのに不敏が生じることなく、且つカバー体上面部４０に付着した水玉が洗面ボウルやカウンター上に向かって少しずつ流れ落ちていくためカバー体上面部４０の濡れを極力、防止することができる。この場合においても、カバー体上面部４０の水はやがて、傾斜によってカバー体前面部３９を伝って洗面ボウル６内に着水するが、突出部３３上面に形成された開口部３１はこのカバー体上面部４０とカバー体前面部３９によって覆われているため開口部３１内に水が浸入することを防止できる。
【００２１】
さらに、吐水部３０は、シャワーホース部２８が洗面化粧台本体２の背面側に設置されたトレイ３５内に収納された収納位置から前方へ引き出された引き出し位置（使用位置）までシャワーホース部２８と共に引き出し可能に洗面化粧台本体２の後部壁１６内に取り付けられている。なお、図２においては、洗面化粧台本体２から引き出して使用した状態の吐水部３０とシャワーホース部２８を破線で示している。
【００２２】
また、洗面ボウル６の最下部には排水口８が形成され、この排水口８には下水側へ通ずる洗面ボウル排水路を形成する排水管１０が接続されている。
さらに、洗面ボウル６の内壁面における背面側上部には、オーバーフロー口１２が外側に貫くように形成され、洗面ボウル６内の水位がオーバーフロー口１２に達すると、洗面ボウル６内の水がオーバーフロー口１２より洗面ボウル６の外部に排水されて水位が制限されるようになっている。
【００２３】
また、洗面ボウル６の外側面上のオーバーフロー口１２の背面側の端部には、オーバーフロー口１２から流出した水のオーバーフロー排水路を形成する排水ホース１４が接続されており、この排水ホース１４の下端部は排水管１０の封水部（図示せず）の上流側に接続されている。なお、オーバーフロー排水路を形成する排水ホース１４は、洗面ボウル６の外側面上に一体形成されてもよいし、洗面ボウル６とは別体として構成してもよい。
【００２４】
次に突出部３３について図３、図４を利用して説明する。
突出部３３は全体として箱状の形状となっているが、水栓機能部２４を収める開口部３１部分のみの大きさとしても構わない。例えば、突出部３３とそれを覆うカバー体１９の横幅は図１のように洗面化粧台本体１の間口と略同一の間口とし、そのカバー体上面部４０をフラットな平面形状とすることで棚として使用することができる。
【００２５】
また、突出部３３は図４に示すようにその前面部３４に下端側がその幅・奥行きともに３〜１０ｍｍ程度となる略鉛直状に形成された切欠き部３７が、洗面ボウルの直上の位置に少なくとも１ヶ所以上設けられている。
【００２６】
次にこの切欠き部３７の作用について説明する。使用中に棚水栓ユニット１８に向かってはねた水滴等のうち通常その大半は棚水栓ユニット１８のカバー体前面部３９から突出部３３の下面にかけた範囲にかかることになる。一方、棚水栓ユニット１８のカバー体上面部４０に使用者が水をかけたり、こぼしたりした場合、この水はカバー体上面部４０の棚水栓ユニット１８の奥から手前方向に向かって流れ、カバー体前面部３９からカウンター面４に向かってこぼれ落ちることになる。しかし、通常の使用状態においては、大量に水が一気にこぼれ落ちるわけではなく、カバー体前面部３９の下端３６に表面張力により微量の水が滴となって残ることになる。ここで、切欠き部３７の位置に発生した滴は切欠きのない部分よりも大きな３〜１０ｍｍ程度の大きさの滴となり水滴となって落下する。すると、切欠き部３７の周囲の切欠きのない部分の滴は表面張力により切欠き部３７側へ誘引され再び大きな滴となって落下する。この現象を繰り返すことでカバー体前面部３９の下端３６に表面張力により残った滴はやがて消滅する。したがって、通常の使用状態においては、カバー体前面部３９の下端３６が濡れるたびに掃除をしなくても、水はね等により下端３６にカビや汚れがつきにくい状態を維持することができる。
【００２７】
続いて、壁部３２の上端について図５を用いて説明する。
図５は壁部３２の上端部分を示す拡大断面図である。壁部３２の上面の手前側端部は下方に立ち下がった形状になっており、この立ち下り部の裏面略中央部には凸部３８を形成している。壁部３２において、突出部３３の上方側は前面が開放されており、壁部３２上面における手前側端部の下方に立ち下がった下端部と突出部３３の間の開放部はカバー体突出部４１が覆っている。尚、この壁部３２の開放部と突出部３３の開口部３１は繋がっており、大きな開口を形成することで、水栓機能部２４のメンテナンスを容易にすることができる。さらにカバー体突出部４１の上端は壁部３２の立ち下がり部の奥側に入り込むような形状となっている。このようにカバー体１９突出部の上端は壁部３２内側に入り込んだ後に曲折し、壁部３２の立ち下がり部の裏面に沿うように上方に立ち上がり、さらに壁部３２上面に沿うように奥側に曲折しているため、万が一、壁部３２とカバー体突出部４１上端との間の隙間に水が伝わって流れてきても、水が壁部３２内に浸入することがない。また、このような形状にすることで壁部３２とカバー体１９上部とを嵌合させている。このように、カバー体突出部４１と壁部３２の手前側端部の下方に立ち下がった部分の間の隙間に生じる継ぎ目が突出部３３から上方に離れた位置に配置されているため、水がこの継ぎ目に侵入しにくい構造となっている。
【００２８】
このように壁部３２上面の手前側端部が立ち下がった形状になっているため、壁部３２上面にキャビネット３が載置されていても、容易にカバー体１９の着脱が可能となる。ここで、カバー体１９は通常、メンテンス時以外は突出部３３下面から上方側に向けてビス止め固定されている（図示せず）。
【００２９】
さらに、図５に示すように壁部３２の下方に立ち下がった部分の裏面には凸部３８を設けているため、図６に示すように、カバー体１９を着脱する際に、凸部３８とカバー体突出部４１上部とが接する部分が間口方向の回転軸となる。したがって、凸部３８は立下り部の略中央部裏側に設けられているので、回転軸部分がカバー体１９の着脱により磨耗して傷がついたりしても正面から見えることがない。
また、カバー体１９は水回りの製品に使用される材料が用いられるが、加工のしやすい金属や樹脂等の成形品であれば、カバー体突出部４１の平面度が出ていなく場合でも凸部３８を削るなどの簡単な微調整で面一にするための調整が可能である。
【００３０】
すなわち、カバー体上面部４０とカバー体突出部４１の面は断面視で互いに垂直になるように形成するのではなく、カバー体上面部４０とカバー体突出部４１の面がなす角度は、壁部３２のたち下がり面と突出部３３の上面とがなす角度（略垂直）よりも小さく設定することで、壁部３２の立ち下がり部の奥側に入り込むカバー体突出部４１の上端は常に凸部３８に接するようになる。
【００３１】
なお、上述した本実施形態の洗面化粧台１については、一例として、シャワーホース部２８と吐水部３０を含む棚水栓ユニット１８を備えた形態について説明したが、棚水栓ユニット１８以外にも、一本状の吐水を行う吐水部とこの吐水部を一端に備えたホース部によって構成される水栓ユニット（図示せず）においても適用可能である。
また、カバー体１９の両側端面はキャップ４２で覆われており、カバー体上面部４０にある水が洗面ボウル６側ではなく側方から床面に落ちることを防止するようにキャップ４２が突出部３３を外側から覆うように段差を付けて取り付けられている。
【００３２】
このように、本発明の洗面化粧台ユニットによれば、水栓機能部をメンテナンスする際に、化粧鏡やキャビネット、カウンター等を一切扱わず、水栓ユニットのカバー体のみを取り外すだけでよく、非常に簡単な作業で可能となる。また、棚水栓ユニットの上部に濡れ物を置いてこぼしたり、濡れた手で触った物を置いたり、と棚水栓ユニットが水で濡れることが想定されるが、突出部の開口部だけカバー体を覆うのではなく、突出部前面までカバー体で覆われており、開口部の開口面より下方にカバー体の下端があるため、開口部内への水の浸入を抑制することができる。
【図面の簡単な説明】
【００３３】
【図１】本発明の第１実施形態による洗面化粧台ユニットを示す概略正面斜視図である。
【図２】図１のＡ−Ａ断面斜視図である。
【図３】本発明の実施形態による洗面化粧台ユニットを示す側断面図である。
【図４】本発明の実施形態による洗面化粧台ユニットの棚水栓ユニットの構造を示す図である。
【図５】本発明の実施形態による壁部の上端部分を示す拡大断面図である。
【図６】本発明の実施形態による洗面化粧台ユニットを示す側断面図である。
【符号の説明】
【００３４】
１ 洗面化粧台ユニット
２ 洗面化粧台本体
３ キャビネット
４ カウンター面
６ 洗面ボウル
８ 排水口
１０ 排水管
１２ オーバーフロー口
１４ 排水ホース
１６ 後部壁
１８ 棚水栓ユニット
１９ カバー体
２０ 給湯管
２２ 給水管
２４ 水栓機能部
２６ 湯水混合栓部の出口部
２８ シャワーホース部
２９ ガイドレール
３０ 吐水部
３１ 開口部
３２ 壁部
３３ 突出部
３４ 前面部
３５ トレイ
３６ 下端
３７ 切欠き部
３８ 凸部
３９ カバー体前面部
４０ カバー体上面部
４１ カバー体突出部
４２ キャップ
【図１】
0004411660.tif 000002
【図２】
0004411660.tif 000003
【図３】
0004411660.tif 000004
【図４】
0004411660.tif 000005
【図５】
0004411660.tif 000006
【図６】
0004411660.tif 000007